【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
画像を撮像する撮像手段と、
前記撮像手段により撮像された画像を表示する表示手段と、
前記撮像手段により撮像された画像から被写体を検出する検出手段と、
前記表示手段に前記撮像された画像を表示している際に、被写体の設定サイズを変更する操作を受け付け可能な第１の操作手段と、
動画記録中かつ前記表示手段に前記撮像された画像を表示している際に前記第１の操作手段に対する操作があっても前記設定サイズを変更せず、動画記録待機中または静止画撮影の前でかつ前記表示手段に前記撮像された画像を表示している際に前記第１の操作手段に対して行われた操作に基づいて前記設定サイズを変更する設定手段と、
前記検出手段で検出された被写体のサイズが、前記設定手段により設定された前記設定サイズに近づくように自動でズームを行うズーム制御手段と、を有することを特徴とする撮像装置。
【請求項２】
動画記録中であっても、前記ズーム制御手段は前記検出手段で検出された被写体のサイズが前記設定サイズに保持されるように、自動でズームを行うように制御することを特徴とする請求項１に記載の撮像装置。
【請求項３】
前記ズーム制御手段は、動画記録待機中または静止画撮影の前には、前記検出手段で被写体を検出したことに応じて前記自動でのズームを行い、動画記録中に前記検出手段で被写体を検出した場合は、当該検出から所定時間が経過した後に前記自動でのズームを行うように制御することを特徴とする請求項1に記載の撮像装置。
【請求項４】
前記設定手段は、動画記録中であっても、前記検出手段で被写体を検出して前記所定時間が経過するまでは、前記第１の操作手段に対する操作に応じて前記設定サイズを変更することを特徴とする請求項３に記載の撮像装置。
【請求項５】
前記検出手段が複数の被写体を検出した場合、前記設定手段により前記設定サイズを設定する被写体を選択可能な選択手段をさらに有し、
前記表示手段は、検出された被写体に識別可能な枠を表示し、
前記ズーム制御手段は、前記選択手段により選択された被写体のサイズが、前記設定手段により設定された前記設定サイズに近づくように自動でズームを制御することを特徴とする請求項１乃至４のいずれか１項に記載の撮像装置。
【請求項６】
前記ズーム制御手段は、前記検出手段により検出された被写体のサイズが前記設定手段により設定された前記サイズに近づくように自動でズームを行う第１のズーム制御と、前記撮像装置の動きに応じて一時的にズームアウトを行う第２のズーム制御を実行することが可能であることを特徴とする請求項１乃至５のいずれか１項に記載の撮像装置。
【請求項７】
前記ズーム制御手段は、前記第１のズーム制御を開始した後、前記撮像装置に所定の動きがあったことが検知されると前記第２のズーム制御を開始することを特徴とする請求項６に記載の撮像装置。
【請求項８】
ユーザ操作を受け付ける第２の操作手段をさらに有し、
前記第２の操作手段に対する第１の操作が検出されると、前記ズーム制御手段は、前記第１のズーム制御を開始することを特徴とする請求項６または７に記載の撮像装置。
【請求項９】
前記第２の操作手段に対する第２の操作が検出されると、前記ズーム制御手段は、一時的にズームアウトを行う制御を開始し、ズームアウトする前のズーム倍率に相当する範囲を表す枠の表示を行い、
前記第２の操作手段に対する第２の操作が検出されなくなるまで、ズームアウトおよび枠の表示を継続することを特徴とする請求項８に記載の撮像装置。
【請求項１０】
前記表示手段は、ユーザ操作に応じて、前記第１のズーム制御および前記第２のズーム制御に関する設定を行うための設定画面を表示することを特徴とする請求項６乃至９のいずれか１項に記載の撮像装置。
【請求項１１】
前記第１のズーム制御を開始した後、所定の操作を受け付け可能であり、
前記所定の操作は、録画開始または静止画撮影の指示であることを特徴とする請求項６乃至１０のいずれか１項に記載の撮像装置。
【請求項１２】
ユーザ操作によるズーム指示を受け付けるズーム指示手段をさらに有し、
前記第１のズーム制御を開始した後、前記ズーム指示を受け付けた場合、前記ズーム制御手段は、前記第１のズーム制御を中断して当該ズーム指示に応じたズームを行うことを特徴とする請求項６乃至１１のいずれか1項に記載の撮像装置。
【請求項１３】
前記第２のズーム制御を開始した後、ユーザ操作による所定の指示を受け付けた場合、当該所定の指示に応じた処理を行う処理手段をさらに有し、
前記所定の指示は、ズーム指示、前記第１のズーム制御を開始する指示、録画開始または静止画撮影の指示のいずれかであることを特徴とする請求項６乃至１２のいずれか１項に記載の撮像装置。
【請求項１４】
前記設定手段は、前記設定画面を介して被写体のサイズの設定が可能であり、
前記設定画面では、前記サイズの設定に加え、前記第１のズーム制御および前記第２のズーム制御を実行するか否かの設定が可能であることを特徴とする請求項１０に記載の撮像装置。
【請求項１５】
前記第１のズーム制御において、前記ズーム制御手段は、検出された被写体のサイズが前記設定手段により設定された前記設定サイズに近づくようにズームを行うと共に、前記被写体の位置が撮像された画像の周辺領域にある場合は前記設定サイズを周辺用のサイズに変更してズームを行うことを特徴とする請求項６乃至１４のいずれか１項に記載の撮像装置。
【請求項１６】
前記検出手段は、撮像された画像から人物の顔を検出可能であり、
前記設定手段は、人物の顔、上半身、および全身のいずれか、またはマニュアルによるサイズの設定が可能であることを特徴とする請求項１乃至１５のいずれか１項に記載の撮像装置。
【請求項１７】
撮像装置と通信可能な通信手段と、
前記通信手段を介して前記撮像装置の動作を制御する制御手段と、
前記通信手段を介して前記撮像装置から受信した画像を表示する表示手段と、
前記表示手段に前記画像を表示している際に、被写体の設定サイズを変更する操作を受け付け可能な第１の操作手段と、
動画記録中かつ前記表示手段に前記撮像装置から受信した画像を表示している際に前記第１の操作手段に対する操作があっても前記設定サイズを変更せず、動画記録待機中または静止画撮影の前でかつ前記表示手段に前記撮像装置から受信した画像を表示している際に前記第１の操作手段に対して行われた操作に基づいて前記設定サイズを変更する設定手段と、を有し、
前記制御手段は、前記画像から検出された被写体のサイズが、前記設定手段により設定された前記設定サイズに近づくように自動でズームを行うように前記撮像装置を制御することを特徴とする制御装置。
【請求項１８】
画像を撮像する撮像手段と、前記撮像手段により撮像された画像を表示する表示手段と、第１の操作手段と、を有する撮像装置の制御方法であって、
前記撮像手段により撮像された画像から被写体を検出する検出ステップと、
動画記録中かつ前記表示手段に前記撮像された画像を表示している際に前記第１の操作手段に対する操作があっても被写体の設定サイズを変更せず、動画記録待機中または静止画撮影の前でかつ前記表示手段に前記撮像された画像を表示している際に前記第１の操作手段に対して行われた操作に基づいて前記設定サイズを変更する設定ステップと、
前記検出ステップで検出された被写体のサイズが、前記設定ステップで設定された前記設定サイズに近づくように自動でズームを行うズーム制御ステップと、を有することを特徴とする撮像装置の制御方法。
【請求項１９】
撮像装置と通信可能な通信手段を有し、前記通信手段を介して前記撮像装置の動作を制御する制御装置の制御方法であって、
前記通信手段を介して前記撮像装置から受信した画像を表示する表示ステップと、
動画記録中かつ前記表示ステップで前記撮像装置から受信した画像を表示している際に第１の操作手段に対する操作があっても被写体の設定サイズを変更せず、動画記録待機中または静止画撮影の前でかつ前記表示ステップで前記撮像装置から受信した画像を表示している際に前記第１の操作手段に対して行われた操作に基づいて前記設定サイズを変更する設定ステップと、
前記画像から検出された被写体のサイズが、前記設定ステップで設定された前記設定サイズに近づくように自動でズームを行うように前記撮像装置を制御するズーム制御ステップと、を有することを特徴とする制御方法。
【請求項２０】
コンピュータを、請求項１乃至１６のいずれか１項に記載された撮像装置の各手段として機能させるためのプログラム。
【請求項２１】
コンピュータを、請求項１乃至１６のいずれか１項に記載された撮像装置の各手段として機能させるためのプログラムを格納したコンピュータが読み取り可能な記憶媒体。
【請求項２２】
コンピュータを、請求項１７に記載された制御装置の各手段として機能させるためのプログラム。
【請求項２３】
コンピュータを、請求項１７に記載された制御装置の各手段として機能させるためのプログラムを格納したコンピュータが読み取り可能な記憶媒体。
【手続補正２】
【補正対象書類名】明細書
【補正対象項目名】０００８
【補正方法】変更
【補正の内容】
【０００８】
本発明は、適切な構図での撮影が可能な撮像装置を実現することを目的とする。
【手続補正３】
【補正対象書類名】明細書
【補正対象項目名】０００９
【補正方法】変更
【補正の内容】
【０００９】
上記目的を達成するために、本発明の撮像装置は、画像を撮像する撮像手段と、前記撮像手段により撮像された画像を表示する表示手段と、前記撮像手段により撮像された画像から被写体を検出する検出手段と、前記表示手段に前記撮像された画像を表示している際に、被写体の設定サイズを変更する操作を受け付け可能な第１の操作手段と、動画記録中かつ前記表示手段に前記撮像された画像を表示している際に前記第１の操作手段に対する操作があっても前記設定サイズを変更せず、動画記録待機中または静止画撮影の前でかつ前記表示手段に前記撮像された画像を表示している際に前記第１の操作手段に対して行われた操作に基づいて前記設定サイズを変更する設定手段と、前記検出手段で検出された被写体のサイズが、前記設定手段により設定された前記設定サイズに近づくように自動でズームを行うズーム制御手段と、を有する。
【手続補正４】
【補正対象書類名】明細書
【補正対象項目名】００１０
【補正方法】変更
【補正の内容】
【００１０】
本発明によれば、適切な構図での撮影が可能な撮像装置を実現することができる。